(57)【要約】【課題】加湿対象空間の湿度を迅速に設定湿度へ到達させることができる加湿空調システムを得ること。【解決手段】加湿空調システム１０００は、加湿対象空間５０に設置された吸込口１０４及び吹出口１０５を備え、吸込口１０４から空気を吸い込み、吹出口１０５から加湿した空気を吹き出す加湿装置１００と、加湿対象空間５０に設置された吸込口２０４及び吹出口２０５Ａ，２０５Ｂ，２０５Ｃ，２０５Ｄと、加湿対象空間５０の外に設置された室外機とを備え、吸込口２０４から空気を吸い込み、吹出口２０５Ａ，２０５Ｂ，２０５Ｃ，２０５Ｄから空気を吹き出して加湿対象空間５０の温度を調整する空気調和装置２００とを有し、空気調和装置２００が吹出口２０５Ａ，２０５Ｂ，２０５Ｃ，２０５Ｄから吸込口１０４に向けて空気を吹き出す加湿アシスト動作を実行することにより、加湿装置１００による加湿対象空間５０の加湿量を増大させる。【選択図】図１
2020133931.tif 000002
【特許請求の範囲】
【請求項１】
加湿対象空間にそれぞれ設置された第１の吸込口及び第１の吹出口を備え、前記第１の吸込口から前記加湿対象空間の空気を吸い込み、前記第１の吹出口から加湿した空気を吹き出す加湿装置と、
前記加湿対象空間にそれぞれ設置された第２の吸込口及び第２の吹出口と、前記加湿対象空間の外に設置された室外機とを備え、前記第２の吸込口から空気を吸い込み、前記第２の吹出口から空気を吹き出して前記加湿対象空間の温度を調整する空気調和装置とを有し、
前記加湿装置による前記加湿対象空間の加湿量を増大させる必要があるか否かを示す加湿アシスト要求レベルに基づいて、前記空気調和装置が前記第２の吹出口から前記第１の吸込口に向けて空気を吹き出す加湿アシスト動作を実行することにより、前記加湿装置による前記加湿対象空間の加湿量を増大させることを特徴とする加湿空調システム。
【請求項２】
前記加湿装置は、前記第１の吸込口から吸い込んだ空気を加湿して、前記第１の吹出口から吹き出すことを特徴とする請求項１に記載の加湿空調システム。
【請求項３】
前記加湿装置は、前記加湿対象空間の外に設置された第３の吸込口及び第３の吹出口を備え、
前記第１の吸込口から吸い込んで前記第３の吹出口から吹き出す排気流と、前記第３の吸込口から吸い込んで前記第１の吹出口から吹き出す給気流との間で熱交換を行い、熱交換後の空気を加湿することを特徴とする請求項１に記載の加湿空調システム。
【請求項４】
前記空気調和装置は、前記第２の吹出口を複数備え、
複数の前記第２の吹出口のそれぞれに独立して風向制御手段が設けられており、
前記加湿アシスト動作を実行する場合に、複数の前記風向制御手段のうち、前記第１の吸込口側の前記第２の吹出口に設けられた前記風向制御手段のみが前記第２の吹出口から吹き出す空気を前記第１の吸込口に向けることを特徴とする請求項１から３のいずれか１項に記載の加湿空調システム。
【請求項５】
前記空気調和装置は、前記加湿対象空間の温度の調整を行っていない時に前記加湿アシスト動作を実行する場合には、複数の前記風向制御手段のうち、前記第１の吸込口側の前記第２の吹出口以外の前記第２の吹出口に設けられた前記風向制御手段は、前記第２の吹出口から空気が吹き出ないように前記第２の吹出口を塞ぐことを特徴とする請求項４に記載の加湿空調システム。
【請求項６】
前記空気調和装置は、前記第２の吸込口から吸い込んだ空気を加熱する温調能力が複数段階であり、
前記加湿アシスト動作を実行する場合に、前記空気調和装置は、前記温調能力を前記加湿アシスト動作の実行前よりも高い段階に変更することを特徴とする請求項１から５のいずれか１項に記載の加湿空調システム。
【請求項７】
前記第１の吸込口から前記加湿装置に吸い込まれる空気の温度を検知する第１の温度検知部と、
前記第２の吸込口から前記空気調和装置に吸い込まれる空気の温度を検知する第２の温度検知部とを備え、
前記空気調和装置は、前記加湿対象空間の温度の調整を行っていない時に前記加湿アシスト動作を実行する場合には、前記加湿対象空間の温度の調整を行うか否かを、前記第１の温度検知部の検知結果と前記第２の温度検知部の検知結果とに基づいて決定することを特徴とする請求項６に記載の加湿空調システム。
【請求項８】
前記空気調和装置は、前記加湿対象空間の温度の調整を行っていない時に前記加湿アシスト動作を実行する場合には、前記加湿対象空間の温度の調整を行うか否かを、前記室外機の稼動状態に基づいて決定することを特徴とする請求項６又は７に記載の加湿空調システム。
【請求項９】
前記空気調和装置は、暖房を含む複数の運転モードを有し、前記加湿アシスト動作を実行する際に、前記運転モードを暖房以外から暖房に変更することを特徴とする請求項１から８のいずれか１項に記載の加湿空調システム。
【請求項１０】
前記空気調和装置が複数の前記運転モードのいずれであるかに基づいて、前記加湿アシスト動作を実行するか否かを決定することを特徴とする請求項９に記載の加湿空調システム。
【請求項１１】
前記空気調和装置の空調対象領域での検知温度と前記空気調和装置の設定温度との差と、前記検知温度が前記設定温度に到達していない時間との少なくとも一方に基づいて、前記加湿アシスト動作を実行するか否かを決定することを特徴とする請求項１から１０のいずれか１項に記載の加湿空調システム。
【請求項１２】
前記空気調和装置の空調対象領域に存在する人を検知する人感センサの検知情報に基づいて、前記加湿アシスト動作を実行するか否かを決定することを特徴とする請求項１から１１のいずれか１項に記載の加湿空調システム。
【請求項１３】
前記加湿アシスト要求レベルを、前記加湿対象空間の検知湿度と前記加湿装置の設定湿度とに基づいて決定することを特徴とする請求項１から１２のいずれか１項に記載の加湿空調システム。
【請求項１４】
前記加湿アシスト要求レベルを、前記検知湿度が前記設定湿度に到達していない時間及び前記加湿装置への強制加湿入力の少なくとも一方に基づいて決定することを特徴とする請求項１３に記載の加湿空調システム。
【発明の詳細な説明】
【技術分野】
【０００１】
本発明は、加湿装置と空気調和機とを有する加湿空調システムに関する。
【背景技術】
【０００２】
加湿エレメントで水を気化させて空気を加湿する加湿装置が従来から用いられている。特許文献１には、加湿フィルタを通して送風する送風手段と、加湿フィルタに送水する送水手段と、室内の湿度を検出する湿度センサと、湿度センサで検出された検出湿度と、予め設定した設定湿度との差によって、送風手段及び送水手段の運転を制御する制御装置とを備えた加湿装置が開示されている。
【先行技術文献】
【特許文献】
【０００３】
【特許文献１】特許第３９６３８２５号公報
【発明の概要】
【発明が解決しようとする課題】
【０００４】
しかしながら、特許文献１の加湿装置では、換気等による室内湿度の低下が著しい場合には、室内の湿度が設定湿度に到達しなかったり、到達するまでの時間が遅くなったりすることで、ユーザの快適性を損ねるおそれがあった。また、暖房運転時に室内温度が設定温度に到達して加湿対象空間に存在する空気調和装置が温調制御を停止するなどして吸込んだ室内空気の温度がそれ以上高くならない場合も、室内の湿度が設定湿度に到達しなかったり、到達するまでの時間が遅くなったりすることで、ユーザの快適性を損ねるおそれがあった。
【０００５】
本発明は、上記に鑑みてなされたものであって、加湿対象空間の湿度を迅速に設定湿度へ到達させることができる加湿空調システムを得ることを目的とする。
【課題を解決するための手段】
【０００６】
上述した課題を解決し、目的を達成するために、本発明は、加湿対象空間にそれぞれ設置された第１の吸込口及び第１の吹出口を備え、第１の吸込口から加湿対象空間の空気を吸い込み、第１の吹出口から加湿した空気を吹き出す加湿装置を有する。本発明は、加湿対象空間にそれぞれ設置された第２の吸込口及び第２の吹出口と、加湿対象空間の外に設置された室外機とを備え、第２の吸込口から空気を吸い込み、第２の吹出口から空気を吹き出して加湿対象空間の温度を調整する空気調和装置を有する。本発明は、加湿装置による加湿対象空間の加湿量を増大させる必要があるか否かを示す加湿アシスト要求レベルに基づいて、空気調和装置が第２の吹出口から第１の吸込口に向けて空気を吹き出す加湿アシスト動作を実行することにより、加湿装置による加湿対象空間の加湿量を増大させる。
【発明の効果】
【０００７】
本発明によれば、加湿対象空間の湿度を迅速に設定湿度へ到達させることができる加湿空調システムを得られるという効果を奏する。
【図面の簡単な説明】
【０００８】
【図１】本発明の実施の形態１に係る加湿空調システムが設置された加湿対象空間の平面図
【図２】実施の形態１に係る加湿空調システムの加湿ユニットの機能ブロック図
【図３】実施の形態１に係る加湿空調システムの加湿装置の統括部による送風ファン出力、給水電磁弁出力及び加湿アシスト要求レベルの判定例を示す図
【図４】実施の形態１に係る加湿空調システムの空気調和装置の機能ブロック図
【図５】実施の形態１に係る加湿空調システムの空気調和装置の統括部による送風ファン出力、風向板ユニット出力及び温調能力の判定例を示す図
【図６】実施の形態１に係る加湿空調システムが加湿アシスト動作を行う状態の一例を示す図
【図７】実施の形態１に係る加湿空調システムが加湿アシスト動作を行っていない状態の一例を示す図
【図８】実施の形態１に係る加湿空調システムが加湿アシスト動作を行う状態の一例を示す図
【図９】本発明の実施の形態２に係る加湿空調システムの空気調和装置の統括部による送風ファン出力、風向板ユニット出力及び温調能力の判定例を示す図
【図１０】本発明の実施の形態３に係る加湿空調システムの空気調和装置の統括部による送風ファン出力、風向板ユニット出力及び温調能力の判定例を示す図
【図１１】本発明の実施の形態４に係る加湿空調システムの空気調和装置の統括部による送風ファン出力、風向板ユニット出力、及び温調能力の判定例を示す図
【図１２】実施の形態１から実施の形態４に係る加湿装置又は空気調和装置の制御部の機能をハードウェアで実現した構成を示す図
【図１３】実施の形態１から実施の形態４に係る加湿装置又は空気調和装置の制御部の機能をソフトウェアで実現した構成を示す図
【発明を実施するための形態】
【０００９】
以下に、本発明の実施の形態に係る加湿空調システムを図面に基づいて詳細に説明する。なお、この実施の形態によりこの発明が限定されるものではない。
【００１０】
実施の形態１．
図１は、本発明の実施の形態１に係る加湿空調システムが設置された加湿対象空間の平面図である。加湿空調システム１０００は、加湿装置１００１，１００２、空気調和装置２００１，２００２，２００３，２００４，２００５，２００６，２００７及びシステムコントローラ３００を有する。以下、加湿装置１００１，１００２を区別しない場合は、加湿装置１００という。また、空気調和装置２００１，２００２，２００３，２００４，２００５，２００６，２００７を区別しない場合には、空気調和装置２００という。加湿装置１００及び空気調和装置２００の構成要素についても同様であり、各々を区別する場合は符号に添え字を付し、区別しない場合には添え字を付さない。
【００１１】
加湿装置１００は、空気調和装置２００及びシステムコントローラ３００と情報のやり取りを行う。また、空気調和装置２００は、加湿装置１００及びシステムコントローラ３００と情報のやり取りを行う。
【００１２】
加湿装置１００は、加湿対象空間５０にそれぞれ設置された第１の吸込口である吸込口１０４及び第１の吹出口である吹出口１０５と、吸込口１０４から加湿対象空間５０の空気を吸い込み、吹出口１０５から加湿した空気を吹き出す本体１０６とを備える。加湿装置１００は、吸込口１０４から吸い込んだ空気を加湿して、吹出口１０５から吹き出す。図１に示すように、吸込口１０４１，１０４２と吹出口１０５１，１０５２とは、いわゆるショートサーキットが発生しないように間隔を空けて設置されている。本体１０６１は、不図示のダクトを介して吸込口１０４１及び吹出口１０５１に接続されている。本体１０６２は、不図示のダクトを介して吸込口１０４２及び吹出口１０５２に接続されている。
【００１３】
空気調和装置２００は、加湿対象空間５０にそれぞれ設置された第２の吸込口である吸込口２０４及び第２の吹出口である吹出口２０５Ａ，２０５Ｂ，２０５Ｃ，２０５Ｄを有する室内機２０２と、加湿対象空間５０の外に設置された図１には不図示の室外機２０３とを備える。加湿対象空間５０は、家屋の部屋、倉庫及びビルの一室を例示できるが、これらに限定はされない。空気調和装置２００は、暖房を含む複数の運転モードを有する。空気調和装置２００は、吸込口２０４から空気を吸い込み、吹出口２０５Ａ，２０５Ｂ，２０５Ｃ，２０５Ｄから空気を吹き出して加湿対象空間５０の温度を調整する。
【００１４】
室内機２０２１は、中央部に吸込口２０４１が配置されており、吸込口２０４１を囲む四辺形状に吹出口２０５Ａ１，２０５Ｂ１，２０５Ｃ１，２０５Ｄ１が配置されている。室内機２０２２は、中央部に吸込口２０４２が配置されており、吸込口２０４２を囲む四辺形状に吹出口２０５Ａ２，２０５Ｂ２，２０５Ｃ２，２０５Ｄ２が配置されている。室内機２０２３は、中央部に吸込口２０４３が配置されており、吸込口２０４３を囲む四辺形状に吹出口２０５Ａ３，２０５Ｂ３，２０５Ｃ３，２０５Ｄ３が配置されている。室内機２０２４は、中央部に吸込口２０４４が配置されており、吸込口２０４４を囲む四辺形状に吹出口２０５Ａ４，２０５Ｂ４，２０５Ｃ４，２０５Ｄ４が配置されている。室内機２０２５は、中央部に吸込口２０４５が配置されており、吸込口２０４５を囲む四辺形状に吹出口２０５Ａ５，２０５Ｂ５，２０５Ｃ５，２０５Ｄ５が配置されている。室内機２０２６は、中央部に吸込口２０４６が配置されており、吸込口２０４６を囲む四辺形状に吹出口２０５Ａ６，２０５Ｂ６，２０５Ｃ６，２０５Ｄ６が配置されている。室内機２０２７は、中央部に吸込口２０４７が配置されており、吸込口２０４７を囲む四辺形状に吹出口２０５Ａ７，２０５Ｂ７，２０５Ｃ７，２０５Ｄ７が配置されている。
【００１５】
システムコントローラ３００は、加湿装置１００及び空気調和装置２００を一括管理する。システムコントローラ３００は加湿装置１００及び空気調和装置２００に操作情報を送信する。また、システムコントローラ３００は、加湿装置１００又は空気調和装置２００から出力される運転状態等の情報を受信し、管理画面等の表示に反映したりする。なお、図１において、システムコントローラ３００は、加湿対象空間５０の外に設置されているが、加湿対象空間５０内に設置されても構わない。
【００１６】
実施の形態１に係る加湿空調システム１０００は、空気調和装置２００が吹き出す気流の風向制御を行い、空気調和装置２００が吹出口２０５Ａ，２０５Ｂ，２０５Ｃ，２０５Ｄから吸込口１０４に向けて空気を吹き出す加湿アシスト動作を実行する。加湿アシスト動作を行うことにより、天井付近にある暖かい空気、又は暖房により暖められた空気を加湿装置１００に吸込ませ、加湿装置１００による加湿対象空間５０の加湿量を増大させる。
【００１７】
図２は、実施の形態１に係る加湿空調システムの加湿ユニットの機能ブロック図である。加湿装置１００は、加湿コントローラ１０１と、加湿対象空間５０に加湿空気を供給する加湿ユニット１０２とを有する。加湿ユニット１０２には、不図示の給水配管及び排水配管が接続されている。
【００１８】
加湿ユニット１０２は、加湿対象空間５０に加湿空気を供給する送風ファン１２０と、給水電磁弁１３０と、加湿装置１００の吸込空気の温度を検出する温度検知部１６０と、加湿対象空間５０の空気の湿度を検出する湿度検知部１７０と、制御部１１０とを有している。加湿ユニット１０２は、加湿対象空間５０の天井裏に埋込状態又は吊下げ状態で設置される。なお、制御部１１０の動作については後述する。温度検知部１６０は、吸込口１０４から加湿装置１００に吸い込まれる空気の温度を検知する第１の温度検知部である。
【００１９】
加湿ユニット１０２の送風ファン１２０及び給水電磁弁１３０は、加湿装置１００の駆動部である。なお、加湿量を増やすために加湿ユニット１０２がヒータを備えていてもよい。加湿ユニット１０２がヒータを備える場合には、ヒータも駆動部に該当する。
【００２０】
加湿コントローラ１０１は、加湿装置１００を動作させるのに利用されるプログラムであるアプリケーションを有している。このアプリケーションは、風量の調節、設定湿度の調節、及び給水電磁弁１３０の開閉の制御を行う。例えば、ユーザが加湿コントローラ１０１から、風量変更、設定湿度変更、又は強制加湿などを実行する操作を行うと、操作により入力された情報が制御部１１０の加湿コントローラ通信部１１１に出力される。なお、強制加湿とは、加湿対象空間５０の湿度によらず強制的に加湿を行う動作である。そして、制御部１１０は、例えば風量変更の出力を受け取ると送風ファン１２０の回転速度を増減する。また、制御部１１０は、設定湿度変更の出力を受け取ると、検知湿度との差分に応じて、給水電磁弁１３０の開閉の制御などを行う。
【００２１】
なお、加湿コントローラ１０１は、加湿ユニット１０２に有線接続されたものとして説明するが、加湿コントローラ１０１は、加湿ユニット１０２に無線接続されて加湿装置１００を遠隔操作できるリモートコントローラであってもよい。
【００２２】
また、システムコントローラ３００のみで、加湿装置１００を操作するシステム構成とする場合は、加湿コントローラ１０１は不要となる。
【００２３】
また、強制加湿は、システムコントローラ３００又は加湿ユニット１０２への信号入力に基づいて実行されてもよい。
【００２４】
制御部１１０は、加湿コントローラ通信部１１１、システム通信部１１２、記憶部１１４、統括部１１５、出力部１１６及び入力部１１７を備えている。
【００２５】
加湿コントローラ通信部１１１は、加湿コントローラ１０１から出力される操作情報を受信して処理する。また、加湿コントローラ通信部１１１は、加湿ユニット１０２の情報を加湿コントローラ１０１に送信する処理を行う。また、システム通信部１１２は、システムコントローラ３００又は空気調和装置２００から出力される操作情報等を受信して処理する。また、システム通信部１１２は、加湿ユニット１０２の情報を、システムコントローラ３００又は空気調和装置２００に送信する処理を行う。ここで、加湿ユニット１０２から送信される情報は、例えば加湿ユニット１０２の各種運転状態を示す情報である。加湿ユニット１０２の運転状態には、発停、風量、設定湿度、検知湿度、検知温度、強制加湿入力、給水電磁弁状態、及び後述する「加湿アシスト要求レベル」を例示できる。
【００２６】
記憶部１１４は、各種の制御設定値及びプログラムを記憶する。記憶部１１４には、フラッシュメモリといった半導体記憶媒体を適用できる。
【００２７】
統括部１１５は、加湿コントローラ通信部１１１又はシステム通信部１１２を介して操作情報を受信したときに、記憶部１１４から操作情報に基づいた制御設定値又はプログラムを読み出す。統括部１１５は、操作情報に基づいた制御設定値を用いて演算を実行した演算結果を出力部１１６と、加湿コントローラ通信部１１１又はシステム通信部１１２とを介して、加湿コントローラ１０１、システムコントローラ３００又は空気調和装置２００へ出力する。
【００２８】
出力部１１６は、統括部１１５から演算結果を受け取り、送風ファン１２０及び給水電磁弁１３０に対し、動作指示を出力する。
【００２９】
入力部１１７は、吸込空気の温度検知部１６０、及び加湿対象領域にある空気の湿度検知部１７０の入力信号を処理して、検知温度、及び検知湿度を算出し、統括部１１５へ入力する。
【００３０】
温度検知部１６０は、吸込口１０４と本体１０６とを接続するダクト内といった加湿ユニット１０２の外部に設けられてもよい。また、吸込空気の温度を検知できる加湿ユニット１０２以外の外部機器に温度検知部１６０の働きをさせてもよい。例えば、加湿ユニット１０２は、加湿コントローラ１０１に備えられた温度検知部の情報を、加湿コントローラ通信部１１１を介して取得するようにしてもよい。また、加湿ユニット１０２は、空気調和装置２００が備えている後述の温度検知部２６０の情報を、システム通信部１１２を介して取得するようにしてもよい。また、加湿ユニット１０２は、システムコントローラ３００が管理している加湿装置１００、空気調和装置２００、又は加湿対象空間５０に別途設置された不図示の温度検知部から取得した温度情報を、システム通信部１１２を介して取得するようにしてもよい。なお、加湿コントローラ１０１に備えられた温度検知部の情報を取得する場合には、加湿コントローラ１０１の設置高さと、天井面に設置された加湿装置１００の吸込口１０４の高さとの差を考慮した温度補正を行ってもよい。
【００３１】
湿度検知部１７０は、吸込口１０４と本体１０６とを接続するダクト内といった加湿ユニット１０２の外部に設けられてもよい。また、加湿対象空間５０にある空気の湿度を検知できる加湿ユニット１０２以外の外部機器に湿度検知部１７０の働きをさせてもよい。例えば、加湿ユニット１０２は、加湿コントローラ１０１に備えられた湿度検知部の情報を、加湿コントローラ通信部１１１を介して取得するようにしてもよい。また、空気調和装置２００が湿度検知部を備えている場合は、加湿ユニット１０２は、空気調和装置２００の検知湿度情報を、システム通信部１１２を介して取得するようにしてもよい。また、加湿ユニット１０２は、システムコントローラ３００が管理している加湿装置１００、空気調和装置２００、又は加湿対象空間５０に別途設置された不図示の湿度検知部から取得した湿度情報を、システム通信部１１２を介して取得するようにしてもよい。
【００３２】
図３は、実施の形態１に係る加湿空調システムの加湿装置の統括部による送風ファン出力、給水電磁弁出力及び加湿アシスト要求レベルの判定例を示す図である。ここで、「加湿アシスト要求レベル」とは、加湿装置１００が空気調和装置２００に対して送信する情報であり、加湿アシストをどの程度の強さで行うことを要求するかを示す。すなわち、加湿アシスト要求レベルは、加湿装置１００による加湿対象空間５０の加湿量を増大させる必要があるか否かを示す。空気調和装置２００は、「加湿アシスト要求レベル」に基づいて、管轄する空調領域の温調制御を優先するか、加湿装置１００の吸込口１０４側の後述の風向板ユニット２３０を水平に向けて前述の「加湿アシスト動作」を実行するかを判定する。
【００３３】
加湿装置１００と加湿装置１００の加湿アシスト動作を行う空気調和装置２００との組合せについては、実施の形態１においては、１対１での組み合わせとする。したがって、加湿装置１００と空気調和装置２００とは、予め加湿コントローラ１０１、後述の空調コントローラ２０１及びシステムコントローラ３００のいずれかから接続設定されてペアリングされるものとする。また、以降の説明で加湿装置１００と空気調和装置２００との間で情報をやり取りする場合は、予め接続設定でペアリングされた相手に対して、通信を行うものとする。
【００３４】
実施の形態１に係る加湿空調システム１０００においては、加湿装置１００１の加湿アシスト動作は空気調和装置２００１が行い、加湿装置１００２の加湿アシスト動作は空気調和装置２００２が行うものとする。なお、加湿装置１００の加湿アシスト動作を行う空気調和装置２００は、基本的には水平方向に吹き出した空気を最も効率的に加湿装置１００の吸込口１０４に供給できる空気調和装置２００を選定するのが望ましい。具体的には、加湿装置１００の加湿アシスト動作を行う空気調和装置２００は、各装置間の距離、空気調和装置２００の吹出方向が加湿装置１００の吸込口１０４に向いているか否か、加湿装置１００の吸込口１０４の形状、及び空気調和装置２００の吹出空気が加湿装置１００の吹出気流を乱さないか等を考慮して決定される。
【００３５】
図１の例では、空気調和装置２００６の吹出口２０５Ａ６から吹き出される空気も吸込口１０４１に向かうが、空気調和装置２００１と比べると吸込口１０４１までの距離が長いことを考慮すると、加湿装置１００１の加湿アシスト動作を行う空気調和装置２００には空気調和装置２００１を選定する方が望ましくなる。また、空気調和装置２００４の吹出口２０５Ｃ４から吹き出される空気も吸込口１０４１に向かうが、吸込口１０４１が位置する方向とずれており効率的に吸い込みができないことを考慮すると、加湿装置１００１の加湿アシスト動作を行う空気調和装置２００には空気調和装置２００１を選定する方が望ましくなる。また、空気調和装置２００４が左右方向の風向制御ができる場合には、吸込口１０４１方向に直接吹出可能であるため、吸込口１０４１までの距離及び加湿装置１００１の吹出気流を乱さない点も考慮すると、空気調和装置２００４を選定する方が望ましくなる。空気調和装置２００３については、吹出口２０５Ｄ３から吹き出される空気が吸込口１０４１に向かうが、吸込口１０４１に到達する前に吹出口１０５１を通過するため、加湿装置１００の吹出気流を乱すことになり加湿アシスト動作を行うには不適となる。
【００３６】
つまり、空気調和装置２００から加湿装置１００へ送風する場合、吸込口１０４へ向けて送風すれば加湿アシスト動作を行うことになるが、吹出口１０５へ向けて送風すれば天井付近の暖かい空気により加湿装置１００からの吹出空気の温度が上がり、かつ相対湿度は下がることで、加湿の妨げとなる。また、空気調和装置２００が吹出口１０５へ向けて送風すると、加湿装置１００からの吹出空気の温度が上がりユーザに不快感を与えるおそれがある。
【００３７】
実施の形態１では、加湿アシスト動作時の空気調和装置２００から加湿装置１００への気流は天井面に沿っているため、空気調和装置２００から送風された気流が、在室している人に直接当たって不快感を与えることはないが、加湿装置１００が加湿対象空間５０に床置き設置される場合には、空気調和装置２００から送風された気流が、在室している人に直接当たることで不快感を与えるおそれがある。このような場合には、空気調和装置２００から加湿装置１００への気流がユーザに直接当たらないよう、空気調和装置２００の風向を調整すればよい。
【００３８】
統括部１１５は、「発停」、「検知湿度−設定湿度」、「設定湿度未達の継続時間」、「強制加湿入力のオンオフ」の各情報を出力判定条件に用いる。「発停」は、ユーザの指示が加湿装置１００を運転する指示であるか停止する指示であるかを表す。「検知湿度−設定湿度」、湿度検知部１７０の検知湿度と加湿コントローラ１０１又はシステムコントローラ３００から設定される設定湿度の差分である。「強制加湿入力のオンオフ」は、加湿コントローラ１０１又はシステムコントローラ３００から設定される。なお、「設定湿度未達の継続時間」は、加湿対象空間５０の湿度が設定湿度に達するとクリアされてゼロとなる。
【００３９】
発停が「停止」の場合は、加湿運転する必要がないため、他の要因によらず、送風ファン出力は「オフ」、給水電磁弁出力は「オフ」、加湿アシスト要求レベルは「なし」となる。
【００４０】
発停が「運転」、かつ検知湿度から設定湿度を減じた差分が「０％以上」であり、ユーザが強制加湿入力をオフに指定している場合は、加湿運転する必要がないため、他の要因によらず、送風ファン出力は「オフ」、給水電磁弁出力は「オフ」、加湿アシスト要求レベルは「なし」とする。一方、発停が「運転」、かつ検知湿度から設定湿度を減じた差分が「０％以上」であり、ユーザが強制加湿入力をオンに指定している場合は、ユーザの指定の通りに加湿運転させるため、送風ファン出力は「オン」、給水電磁弁出力は「オン」、加湿アシスト要求レベルは「なし」とする。なお、強制加湿入力がオンに指定されている場合は、加湿アシスト要求レベルを必ず「あり」としてもよい。
【００４１】
また、発停が「運転」、かつ検知湿度から設定湿度を減じた差分が「−１０％未満」である場合、送風ファン出力は「オン」、給水電磁弁出力は「オン」、加湿アシスト要求レベルは、「設定湿度未達の継続時間」が長いほど、及び「強制加湿入力」がオンとなっているほど、レベルが高くなるよう設定する。
【００４２】
また、発停が「運転」、かつ検知湿度から設定湿度を減じた差分が「−１０％から０％」である場合、送風ファン出力は「オン」、給水電磁弁出力は「オン」とする。加湿アシスト要求レベルは、「設定湿度未達の継続時間」が長いほど、及び「強制加湿入力」がオンとなっているほど、レベルが高くなるよう設定する。
【００４３】
図４は、実施の形態１に係る加湿空調システムの空気調和装置の機能ブロック図である。空気調和装置２００は、空調コントローラ２０１と、加湿対象空間５０に空調空気を供給する室内機２０２と、加湿対象空間５０外に設置される室外機２０３とを有している。室内機２０２と室外機２０３とは、不図示の冷媒配管で接続されている。また、室内機２０２は、加湿対象空間５０の天井裏に埋込状態又は吊下げ状態で設置され加湿対象空間５０に空調空気を供給する送風ファン２２０と、室内空気の温度を検出する温度検知部２６０と、冷媒が供給される不図示の室内熱交換器と、制御部２１０とを有している。温度検知部２６０は、吸込口２０４から空気調和装置２００に吸い込まれる空気の温度を検知する第２の温度検知部である。吹出口２０５Ａ，２０５Ｂ，２０５Ｃ，２０５Ｄには上下方向に風向を独立して制御可能な風向制御手段であるである風向板ユニット２３０が設置されている。なお、風向板ユニット２３０は、回転自在の風向板、及び風向板を回転させるモータなどから構成され、吹出風向が水平面内で９０度ずつ異なる４方向を向くように設定されている。制御部２１０については、後述する。
【００４４】
室外機２０３は、ビルの屋上といった屋外に設置される。室外機２０３は、冷媒を減圧する絞り装置と、冷媒を圧縮する圧縮機と、冷媒の流路を切り換える四方弁と、暖房運転時には蒸発器の働きをし、冷媒運転時には凝縮器の働きをする室外熱交換器と、室外熱交換器に付設され、室外熱交換器に空気を供給する室外送風ファンとを有している。また、室外機２０３は、室内機２０２の制御部２１０と電気的に接続され、制御部２１０と情報をやりとりする不図示の室外機制御部を有している。室外機制御部は、例えば、圧縮機などが搭載される圧縮機室の上部に配置される電気品箱に設けられる。室外機制御部は、室内機２０２の制御部２１０から受け取った情報に基づいて圧縮機の運転強度及び絞り装置の開度を制御する。なお、室外機２０３に絞り装置が設置されているものとして説明するが、それに限定されるものではなく、室外機２０３の外側に絞り装置が設けられていてもよい。
【００４５】
室内機２０２の送風ファン２２０、風向板ユニット２３０、室外機２０３の圧縮機、絞り装置、四方弁及び室外送風ファンは、空気調和装置２００の駆動部である。なお、室内機２０２に備え付けられる集塵フィルタに付設されるプラズマ集塵部などを有していてもよい。なお、プラズマ集塵部は、対向電極及び電源を有する。室内機２０２がプラズマ集塵部を有する場合、プラズマ集塵部も駆動部に該当する。
【００４６】
空調コントローラ２０１は、空気調和装置２００を動作させるのに利用されるプログラムであるアプリケーションを有している。このアプリケーションは、風量の調節、設定温度の調節、風向板ユニット２３０の角度の調節などを入力することができる。例えば、ユーザが空調コントローラ２０１から、風量変更、設定温度変更、又は風向板ユニット２３０の角度変更を実行する操作を行うと、操作によって入力された情報が制御部２１０の空調コントローラ通信部２１１に出力される。そして、制御部２１０は、例えば風量変更の出力を受け取ると、送風ファン２２０の回転速度を増減する。また、制御部２１０は、設定温度変更の出力を受け取ると、絞り装置の開度の調整及び圧縮機の運転強度の増減などを行う。さらに、制御部２１０は、風向板ユニット２３０の角度変更の出力を受け取ると、風向板ユニット２３０を駆動する不図示のモータを動作させる。なお、空調コントローラ２０１は、有線で室内機２０２に接続されたものとして説明するが、有線接続に限定されるものではなく、空気調和装置２００に無線接続されて遠隔操作できるリモートコントローラであってもよい。なお、システムコントローラ３００のみで、空気調和装置２００を操作するシステム構成とする場合は、空調コントローラ２０１は不要となる。
【００４７】
制御部２１０は、空調コントローラ通信部２１１、システム通信部２１２、室外機通信部２１３、統括部２１５、出力部２１６、入力部２１７及び記憶部２１４を備えている。
【００４８】
空調コントローラ通信部２１１は、空調コントローラ２０１から出力される操作情報を受信し処理する。また、空調コントローラ通信部２１１は、室内機２０２の情報を空調コントローラ２０１に送信する。また、システム通信部２１２は、システムコントローラ３００又は加湿装置１００から出力される操作情報を受信し処理する。また、システム通信部２１２は、室内機２０２の情報を、システムコントローラ３００又は加湿装置１００に送信する。また、室外機通信部２１３は、室外機２０３から出力される操作情報を受信し処理する。また、室外機通信部２１３は、室内機２０２の情報を、室外機２０３に送信する処理を行う。ここで、室内機２０２から送信される情報には、室内機２０２の各種運転状態を示す情報を挙げられる。室内機２０２の運転状態には、発停、風量、設定温度、風向、吸込温度、運転モード、絞り装置の開度の調整及び圧縮機の運転強度の増減を例示できる。
【００４９】
記憶部２１４は、各種の制御設定値及びプログラムなどが記憶されている。記憶部２１４には、フラッシュメモリなどの半導体記憶媒体を適用できる。
【００５０】
統括部２１５は、空調コントローラ通信部２１１、システム通信部２１２、室外機通信部２１３を介して操作情報を受信したときなどに、記憶部２１４から操作情報などに基づいた制御設定値又はプログラムなどを読み出し、演算を実行した結果を示す情報を出力部２１６と、空調コントローラ通信部２１１、システム通信部２１２又は室外機通信部２１３とを介して、空調コントローラ２０１、システムコントローラ３００、加湿装置１００又は室外機２０３へ出力する。
【００５１】
出力部２１６は、統括部２１５から演算結果の情報を受け取り、送風ファン２２０及び風向板ユニット２３０に動作指示を出力する。
【００５２】
入力部２１７は、管轄する空調対象領域の空気温度を検出するための温度検知部２６０の入力信号を処理して、検知温度を算出し、統括部２１５へ入力する。
【００５３】
なお、温度検知部２６０は、室内機２０２の外部に設けられてもよく、空調対象領域の空気温度を検知するものであれば、室内機２０２以外の外部機器に温度検知部２６０の働きをさせてもよい。例えば、空調コントローラ２０１に備えられた温度検知部の情報を、空調コントローラ通信部２１１を介して取得してもよい。また、加湿装置１００が温度検知部１６０を備えている場合は、加湿装置１００の検知温度情報を、システム通信部２１２を介して取得してもよい。また、システムコントローラ３００が管理している加湿装置１００、空気調和装置２００、又は加湿対象空間５０に別途設置された不図示の温度検知部から取得した温度情報を、システム通信部２１２を介して取得してもよい。また、加湿装置１００が備えている温度検知部１６０の情報を取得する場合には、温度検知部１６０の設置高さと、空調対象領域の高さとの差を考慮した温度補正を行ってもよい。
【００５４】
図５は、実施の形態１に係る加湿空調システムの空気調和装置の統括部による送風ファン出力、風向板ユニット出力及び温調能力の判定例を示す図である。風向板ユニット２３０は、吹出口２０５Ａ，２０５Ｂ，２０５Ｃ，２０５Ｄから吹き出す空気の風向を独立して制御するため、「加湿装置の吸込口側」と「加湿装置の吸込口側以外」とで区別する。図１の例で具体的に示すと、空気調和装置２００１では、吹出口２０５Ｂ１に設置された風向板ユニット２３０が「加湿装置の吸込口側」であり、空気調和装置２００２では、吹出口２０５Ｄ２に設置された風向板ユニット２３０が「加湿装置の吸込口側」である。
【００５５】
統括部２１５は、「運転モード」、「加湿アシスト要求レベル」、「検知温度−設定温度」及び「設定温度未達の継続時間」を出力判定条件に用いる。「運転モード」は、ユーザの指示が暖房、冷房及び停止のいずれかであるかを示す。実施の形態１においては、「加湿アシスト要求レベル」は、加湿装置１００から入力される。「検知温度−設定温度」は、温度検知部２６０の検知温度と空調コントローラ２０１又はシステムコントローラ３００から設定される設定温度との差分である。「設定温度未達の継続時間」は、運転モードが「暖房」となってからの空調対象領域の検知温度が設定温度に達していない状態の継続時間である。なお、「設定温度未達の継続時間」は、空調対象領域の温度が設定温度に達するとクリアされてゼロとなる。
【００５６】
運転モードが「停止」の場合は、空気調和装置２００の空調対象領域に対して温調制御を実行する必要はないため、空気調和装置２００は、加湿装置１００から加湿アシストの要求があれば、加湿アシスト動作を行う。
【００５７】
すなわち、「加湿アシスト要求レベル」が「なし」であれば、送風ファン出力を「停止」、吸込口１０４側の風向板ユニット出力を「閉」、吸込口１０４側以外の風向板ユニット出力を「閉」、温調を「オフ」とすることで、加湿アシスト動作「なし」とする。
【００５８】
また、「加湿アシスト要求レベル」が「低」であれば、送風ファン出力を「弱」、吸込口１０４側の風向板ユニット出力を「水平」、吸込口１０４側以外の風向板ユニット出力を「閉」、温調を「オフ」とすることで、加湿アシスト動作「あり」とする。
【００５９】
また、「加湿アシスト要求レベル」が「中」であれば、送風ファン出力を「弱」、吸込口１０４側の風向板ユニット出力を「水平」、吸込口１０４側以外の風向板ユニット出力を「閉」、温調を「５０％でオン」とすることで、加湿アシスト動作「あり」とする。なお、この場合の加湿アシスト動作は、温調により加湿能力を強化した加湿アシスト動作となる。
【００６０】
また、「加湿アシスト要求レベル」が「高」であれば、送風ファン出力を「弱」、吸込口１０４側の風向板ユニット出力を「水平」、吸込口１０４側以外の風向板ユニット出力を「閉」、温調を「１００％でオン」とすることで、加湿アシスト動作「あり」とする。なお、この場合の加湿アシスト動作は、温調により加湿能力を強化した加湿アシスト動作となる。
【００６１】
上記の通り、空気調和装置２００の運転モードが「停止」であっても、加湿装置１００の「加湿アシスト要求レベル」に合わせて、送風ファン２２０、風向板ユニット２３０及び暖房を制御することで、天井付近にある暖かい空気、又は暖房により暖められた空気を加湿装置１００に吸込ませることが可能となるため、加湿装置１００による加湿量がアップし、加湿対象空間５０の湿度を迅速に設定湿度へ到達させることができる。
【００６２】
また、風向板ユニット２３０を「加湿装置の吸込口側」と「加湿装置の吸込口側以外」とで独立に制御し、運転モードが「停止」の場合は、「加湿装置の吸込口側以外」を「閉」としたことで、空調対象領域に居るユーザに、吹き出し空気が当たる違和感を与えずに、加湿量を増大させる効果のみ得ることができる。さらに、ユーザに直接吹き出し空気が当たらないため、空調対象領域に吹き出した場合にはユーザが暑すぎると感じる温度まで加温した空気を加湿装置１００に吸い込ませることも可能となる。
【００６３】
また、運転モードが「冷房」の場合は、加湿装置１００が冷却された空気を吸込むと加湿装置１００による加湿量が落ちてしまうため、加湿装置１００の吸込口１０４に向けて気流を吹き出すための風向制御は行わない。つまり、空気調和装置２００は、運転モードが「冷房」の場合は、空調対象領域の状態のみで、運転状態を決定すればよく、「加湿アシスト要求レベル」によらず、送風ファン出力を「操作値」、吸込口１０４側の風向板ユニット出力を「操作値」、吸込口１０４側以外の風向板ユニット出力を「操作値」とし、温調は「検知温度−設定温度」が高いほど能力を上げることにより、加湿アシスト動作「なし」とする。なお、送風ファン出力の操作値は「強」、吸込口１０４側の風向板ユニット出力の操作値は「スイング」、吸込口１０４側以外の風向板ユニット出力の操作値は、「スイング」とする。
【００６４】
上記の通り、空気調和装置２００の運転モードが「冷房」の場合は、加湿装置１００の吸込口１０４に向けて空気調和装置２００が気流を吹き出しても加湿量を向上させる効果は見込めないため、常に空調対象領域の温度の快適性を優先した動作を行う。
【００６５】
また、運転モードが「暖房」で、加湿装置１００からの「加湿アシスト要求レベル」が「なし」の場合は、加湿装置１００において検知湿度が設定湿度を満足しているか、又は加湿装置１００が「停止」状態となっているため、空気調和装置２００は、空調対象領域の状態のみで、運転状態を決定する。すなわち、送風ファン出力は、「検知温度−設定温度」が「０℃以上」であれば、送風による冷風感を抑制するため「停止」とし、「０℃未満」であれば、「操作値」とする。また、吸込口１０４側の風向板ユニット出力は「操作値」、吸込口１０４側以外の風向板ユニット出力は「操作値」とし、温調は、「検知温度−設定温度」が低いほど能力を上げる。したがって、加湿アシスト動作は「なし」となる。
【００６６】
上記の通り、空気調和装置２００の運転モードが「暖房」で、「加湿アシスト要求レベル」が「なし」の場合は、加湿装置１００の加湿対象空間５０の湿度は満足されているため、常に空調対象領域の温度の快適性を優先した動作を行う。
【００６７】
また、運転モードが「暖房」で、加湿装置１００からの「加湿アシスト要求レベル」が「低」の場合は、加湿装置１００が給水電磁弁１３０をオンしてから、設定湿度未達の継続時間が「３０分未満」であれば、空気調和装置２００の加湿アシスト動作がなくても設定湿度に到達する可能性がある状態のため、基本的には、加湿アシスト動作を行う必要はないが、空調対象領域の状態が「快適」で温調を「オフ」とする場合は、加湿アシスト動作を行う。
【００６８】
具体的には、「検知温度−設定温度」が「０℃以上」であれば、送風ファン出力は「弱」、吸込口１０４側の風向板ユニット出力は「水平」、吸込口１０４側以外の風向板ユニット出力は「閉」、温調は「オフ」とすることで、加湿アシスト動作「あり」とする。
【００６９】
図６は、実施の形態１に係る加湿空調システムが加湿アシスト動作を行う状態の一例を示す図である。温調が「オフ」であるため、空気調和装置２００から吸込口１０４に向かって天井付近に溜まった暖かい空気が送られ、加湿装置１００による加湿量が増大する。
【００７０】
「検知温度−設定温度」が「−３℃から０℃」であれば、送風ファン出力は「操作値」、吸込口１０４側の風向板ユニット出力は「操作値」、吸込口１０４側以外の風向板ユニット出力は「操作値」、温調は「５０％でオン」とすることで、加湿アシスト動作を「なし」とする。
【００７１】
「検知温度−設定温度」が「−３℃未満」であれば、送風ファン出力は「操作値」、吸込口１０４側の風向板ユニット出力は「操作値」、吸込口１０４側以外の風向板ユニット出力は「操作値」、温調は「１００％でオン」とすることで、加湿アシスト動作を「なし」とする。
【００７２】
図７は、実施の形態１に係る加湿空調システムが加湿アシスト動作を行っていない状態の一例を示す図である。空気調和装置２００から下向きに空気が吹き出され、空気調和装置２００から吸込口１０４に向けて空気が吹き出されていない。したがって、加湿装置１００には、天井付近に溜まった暖かい空気以外の空気が吸い込まれるため、空気調和装置２００が吹き出す空気の影響で加湿装置１００による加湿量が増大することはない。
【００７３】
上記の通り、空気調和装置２００の運転モードが「暖房」で、「加湿アシスト要求レベル」が「低」の場合は、空気調和装置２００の空調対象領域で「検知温度−設定温度」が「０℃以上」の状態にある時のみ、加湿アシスト動作を行う。つまり、加湿対象空間５０の湿度が一時的に低いような状況では、空調対象領域の温度の快適性が満足されている場合のみ、空調対象領域の温度の快適性よりも、加湿対象空間５０の湿度の快適性の向上を優先する。
【００７４】
ただし、空調対象領域の温度の快適性が満足されなくなった場合には、空調対象領域の温度の快適性の向上を、加湿対象空間５０の湿度の快適性よりも優先する。言い換えると、空調対象領域の温度の快適性と、加湿対象空間５０の湿度の快適性とのバランスを考慮した上で、加湿アシスト動作を実行させる。
【００７５】
また、空気調和装置２００の空調対象領域で「検知温度−設定温度」が「０℃以上」の状態にある時は、天井付近にある暖かい空気を加湿装置１００に吸込ませることが可能となるため、加湿装置１００の加湿量がアップし、加湿対象空間５０の湿度を迅速に設定湿度へ到達させることができる。
【００７６】
また、風向板ユニット２３０を「加湿装置の吸込口側」と「加湿装置の吸込口側以外」とで独立に制御し、加湿アシスト動作「あり」の場合でも「加湿装置の吸込口側以外」は操作値のままとすることで、加湿アシスト動作「あり」時でも、「加湿装置の吸込口側以外」の空調対象領域における温度の快適性を保つことができる。
【００７７】
運転モードが「暖房」で、加湿装置１００からの「加湿アシスト要求レベル」が「中」の場合は、加湿装置１００が給水電磁弁１３０をオンしてから、設定湿度未達の継続時間が３０分以上になっているなど、空気調和装置２００が加湿アシスト動作の優先度を上げて実行する必要があるため、空調対象領域での「検知温度−設定温度」が「０℃以上」の状態であれば、加湿アシスト動作を行う。空調対象領域での「検知温度−設定温度」が「−３℃から０℃」の状態であれば、加湿アシスト動作を行うが、「設定温度未達の継続時間」が長くなった場合は、空調対象領域の温調制御を優先する。空調対象領域での「検知温度−設定温度」が「−３℃未満」の状態であれば、空調対象領域の温調制御を優先する。
【００７８】
具体的には、「検知温度−設定温度」が「０℃以上」であれば、送風ファン出力は「弱」、吸込口１０４側の風向板ユニット出力は「水平」、吸込口１０４側以外の風向板ユニット出力は「閉」、温調は「５０％でオン」とすることで、加湿アシスト動作「あり」とする。なお、この場合の加湿アシスト動作は、温調により加湿能力を強化した加湿アシスト動作となる。
【００７９】
また、「検知温度−設定温度」が「−３℃から０℃」であり、かつ「設定温度未達の継続時間」が「３０分未満」であれば、送風ファン出力は「操作値」、吸込口１０４側の風向板ユニット出力は「水平」、吸込口１０４側以外の風向板ユニット出力は「操作値」、温調は「５０％でオン」とすることで、加湿アシスト動作「あり」とする。
【００８０】
図８は、実施の形態１に係る加湿空調システムが加湿アシスト動作を行う状態の一例を示す図である。空気調和装置２００から吸込口１０４に向かって暖房によって暖められた空気が送られるため、温調が「オフ」の場合よりも加湿装置１００による加湿量がさらに増大する。
【００８１】
また、「検知温度−設定温度」が「−３℃から０℃」であり、かつ「設定温度未達の継続時間」が３０分以上であれば、送風ファン出力は「操作値」、吸込口１０４側の風向板ユニット出力は「操作値」、吸込口１０４側以外の風向板ユニット出力は「操作値」、温調は「５０％でオン」とすることで、加湿アシスト動作を「なし」とする。
【００８２】
また、「検知温度−設定温度」が「−３℃未満」であれば、送風ファン出力は「操作値」、吸込口１０４側の風向板ユニット出力は「操作値」、吸込口１０４側以外の風向板ユニット出力は「操作値」、温調は「１００％でオン」とすることで、加湿アシスト動作を「なし」とする。
【００８３】
上記の通り、空気調和装置２００の運転モードが「暖房」で、「加湿アシスト要求レベル」が「中」の場合は、空気調和装置２００の空調対象領域での「検知温度−設定温度」が「０℃以上」の状態にある時に加え、空調対象領域での「検知温度−設定温度」が「−３℃から０℃」の状態にある場合にも、加湿アシスト動作を実行させる。つまり、加湿対象空間５０の湿度が一定期間、設定湿度を満足しない状況のため、空調対象領域の温度の快適性がやや不快なレベルにある場合には、空調対象領域の温度の快適性よりも、加湿対象空間５０の湿度の快適性の向上を優先する。
【００８４】
ただし、空調対象領域の温度の快適性が不快なレベルである場合、及び「設定温度未達の継続時間」が一定時間を越えた場合には、空調対象領域の温度の快適性の向上を、加湿対象空間５０の湿度の快適性よりも優先する。言い換えると、空調対象領域の温度の快適性と、加湿対象空間５０の湿度の快適性とのバランスを考慮した上で、加湿アシスト動作を実行させる。
【００８５】
また、空気調和装置２００の空調対象領域での「検知温度−設定温度」が「０℃以上」の状態にある時は、天井付近にある暖かい空気を温調することで温度を高め、加湿装置１００に吸込ませることが可能となるため、温調せずに加湿アシスト動作を行う時と比べ、加湿装置１００の加湿量が大幅に向上し、加湿対象空間５０の湿度を迅速に設定湿度へ到達させることができる。言い換えると、空気調和装置２００が加湿装置１００の加湿能力を大幅に向上させることができる。
【００８６】
また、風向板ユニット２３０を「加湿装置の吸込口側」と「加湿装置の吸込口側以外」とで独立に制御し、加湿アシスト動作「あり」の場合でも「加湿装置の吸込口側以外」は操作値である下向きのままとすることにより、「加湿装置の吸込口側以外」の空調対象領域に居るユーザにとっての温度の快適性を、加湿アシスト動作「あり」時でも保つことができる。
【００８７】
運転モードが「暖房」で、加湿装置１００からの「加湿アシスト要求レベル」が「高」の場合は、加湿装置１００が給水電磁弁１３０をオンしてから、設定湿度未達の継続時間が「１時間以上」になっているなど、空気調和装置２００が加湿アシスト動作の優先度をさらに上げる必要があるため、空調対象領域の状態によらず加湿アシスト動作を行うが、「設定温度未達の継続時間」が長くなった場合は、空調対象領域の温調制御を優先する。
【００８８】
具体的には、「検知温度−設定温度」が「０℃以上」であれば、送風ファン出力は「弱」、吸込口１０４側の風向板ユニット出力は「水平」、吸込口１０４側以外の風向板ユニット出力は「閉」、温調は「１００％でオン」とすることで、加湿アシスト動作「あり」とする。なお、この場合の加湿アシスト動作は、温調により加湿能力を強化した加湿アシスト動作となる。
【００８９】
「検知温度−設定温度」が「−３℃から０℃」であり、かつ「設定温度未達の継続時間」が「３０分未満」であれば、送風ファン出力は「操作値」、吸込口１０４側の風向板ユニット出力は「水平」、吸込口１０４側以外の風向板ユニット出力は「操作値」、温調は「１００％でオン」とすることで、加湿アシスト動作「あり」とする。なお、この場合の加湿アシスト動作は、温調により加湿能力を強化した加湿アシスト動作となる。
【００９０】
「検知温度−設定温度」が「−３℃から０℃」であり、かつ「設定温度未達の継続時間」が「３０分以上」であれば、送風ファン出力は「操作値」、吸込口１０４側の風向板ユニット出力は「操作値」、吸込口１０４側以外の風向板ユニット出力は「操作値」、温調は「５０％でオン」とすることで、加湿アシスト動作を「なし」とする。
【００９１】
「検知温度−設定温度」が「−３℃未満」であり、かつ「設定温度未達の継続時間」が「１５分未満」であれば、送風ファン出力は「操作値」、吸込口１０４側の風向板ユニット出力は「水平」、吸込口１０４側以外の風向板ユニット出力は「操作値」、温調は「１００％でオン」とすることで、加湿アシスト動作「あり」とする。
【００９２】
「検知温度−設定温度」が「−３℃未満」であり、かつ「設定温度未達の継続時間」が「１５分以上」であれば、送風ファン出力は「操作値」、吸込口１０４側の風向板ユニット出力は「操作値」、吸込口１０４側以外の風向板ユニット出力は「操作値」、温調は「１００％でオン」とすることで、加湿アシスト動作を「なし」とする。
【００９３】
上記の通り、空気調和装置２００の運転モードが「暖房」で、「加湿アシスト要求レベル」が「高」の場合は、「設定温度未達の継続時間」が一定時間を越えた場合を除いて加湿アシスト動作を実行させる。つまり、加湿対象空間５０の湿度が著しく低下している場合、又は長期間、設定湿度を満足しない状況が続いている場合は、空調対象領域の温度の快適性が満足されていない場合でも、空調対象領域の温度の快適性よりも、加湿対象空間５０の湿度の快適性の向上を優先する。
【００９４】
ただし、「設定温度未達の継続時間」が一定時間を越えた場合には、空調対象領域の温度の快適性の向上を、加湿対象空間５０の湿度の快適性よりも優先する。言い換えると、空調対象領域の温度の快適性と、加湿対象空間５０の湿度の快適性とのバランスを考慮した上で、加湿アシスト動作を実行させる。
【００９５】
また、空気調和装置２００の空調対象領域での「検知温度−設定温度」が０℃未満の状態にある時は、天井付近にある暖かい空気を温調することで温度を高め、加湿装置１００に吸込ませることが可能となるため、温調せずに加湿アシスト動作を行う時と比べ、加湿装置１００の加湿量が大幅に向上し、加湿対象空間５０の湿度を迅速に設定湿度へ到達させることができる。言い換えると、空気調和装置２００が加湿装置１００の加湿能力を大幅に向上させることができる。
【００９６】
また、風向板ユニット２３０を「加湿装置の吸込口側」と「加湿装置の吸込口側以外」とで独立に制御し、加湿アシスト動作「あり」の場合でも「加湿装置の吸込口側以外」は操作値である下向きのままとすることにより、「加湿装置の吸込口側以外」の空調対象領域に居るユーザにとっての温度の快適性を、加湿アシスト動作「あり」時でも保つことができる。
【００９７】
また、加湿アシスト動作時に、加湿装置１００の吸込口１０４側の風向板ユニット２３０を水平方向にすることで加湿対象空間５０内に気流が発生するため、空間内の温度ムラ及び湿度ムラを解消する効果も得られる。なお、加湿アシスト動作の要否を判定するにあたり、加湿対象空間５０内の温度ムラ又は湿度ムラが発生している必要はなく、温度ムラ又は湿度ムラがない状態であっても、実施の形態１に係る加湿空調システム１０００は、空調対象領域の温度の快適性と、加湿対象空間５０の湿度の快適性とのバランスを考慮した上で、加湿アシスト動作を実行させ、加湿対象空間５０の湿度を迅速に設定湿度へ到達させることができる。
【００９８】
なお、以下に、空気調和装置２００の統括部２１５による送風ファン出力、風向板ユニット出力及び温調能力の判定の変形例について記載するが、判定結果パターンの何れにしたがって空気調和装置２００を動作させるかをユーザが予め、加湿コントローラ１０１、空調コントローラ２０１、システムコントローラ３００及び加湿ユニット１０２が備える不図示の機能設定スイッチ又は室内機２０２が備える不図示の機能設定スイッチ等から設定できるようにしてもよい。
【００９９】
図５において、加湿アシスト動作「あり」時に、送風ファン出力が「弱」である箇所は、空気調和装置２００の風向板ユニット２３０から加湿装置１００の吸込口１０４までの距離が近く、強風量では空気調和装置２００からの吹出空気を効率的に吸込めない場合を想定している。このため、空気調和装置２００の風向板ユニット２３０から、加湿装置１００の吸込口１０４までの距離にあわせて、空気調和装置２００からの吹出空気が、効率的に加湿装置１００に吸い込まれる風量という観点で、「強」又は「中」にしてもよい。つまり、空調コントローラ２０１、又はシステムコントローラ３００からの風量操作値から適宜変更すればよい。また、省エネルギー性を考慮して、操作値から風量アップしないように、又は操作値によらず最低風量で動作させてもよい。
【０１００】
また、加湿アシスト動作「あり」時に、吸込口１０４側の風向板ユニット出力は「水平」としたが、左右風向調整も可能であれば、加湿装置１００の吸込口１０４へ吹き出せるよう調整してもよい。これにより、空気調和装置２００からの吹出空気がより効率的に加湿装置１００に吸い込まれるため、加湿量を増大させる効果が高まる。
【０１０１】
また、いわゆる一方向吹出しの天井カセット型等の加湿装置１００では、吸込口１０４と吹出口１０５が非常に近くなる場合がある。このような場合、加湿アシスト動作「あり」時に、吸込口１０４側の風向板ユニット出力は、左右風向については加湿装置１００の吸込口１０４に向かって直線的に吹き出さずに、吹出口１０５から遠ざかる方向に、角度をずらすよう調整する。これにより、空気調和装置２００からの吹出空気が加湿装置１００からの吹出し気流を乱すことなく、言い換えると加湿対象空間５０に居るユーザの快適性を損ねることなく、加湿量を増大させる効果を得ることが可能となる。なお、左右方向にずらす角度は空気調和装置２００と加湿装置１００の距離に応じて適宜調整されればよい。また、空気調和装置２００の吹出口２０５Ａ，２０５Ｂ，２０５Ｃ，２０５Ｄと、加湿装置１００の吸込口１０４との間に別の装置の吹出し口が存在する場合にも、同様に吹出し気流を乱さないよう左右風向の調整を適宜実行すればよい。
【０１０２】
また、運転モード「停止」で加湿アシスト動作「あり」時は、吸込口１０４側以外の風向板ユニット出力は、空気を吹き出す必要がないので「閉」としたが、「水平」方向等に吹き出したとしても、空調対象領域に居るユーザに吹き出し空気が当たる違和感を与えずに加湿量を増大させる効果は得られる。
【０１０３】
また、運転モード「停止」で加湿アシスト動作「あり」時は、温調制御に関しては、加湿量を増大させる効果を高めるため「加湿アシスト要求レベル」が「低」、「中」、「高」と高くなるにつれ、「オフ」、「５０％でオン」、「１００％でオン」としたが、加湿効率アップを最優先にする場合は、「１００％でオン」、「１００％でオン」、「１００％でオン」としてもよいし、省エネルギー性を考慮し、「オフ」、「オフ」、「５０％でオン」、又は「オフ」、「オフ」、「オフ」としてもよい。送風ファン２２０を作動させかつ吸込口１０４側の風向板ユニット出力を「水平」としていれば、天井付近に溜まった暖かい空気を利用して、加湿量を増大させる効果を得ることができる。
【０１０４】
また、運転モード「停止」の場合は、停止していた空気調和装置２００が、加湿アシスト動作を実行するために運転することで、ユーザが違和感を持つ可能性があるため、運転モードが「停止」の場合は、そもそも加湿アシスト動作を実行しないようにしてもよいし、加湿アシスト要求レベルが「高」の場合のみ加湿アシスト動作を実行させるようにしてもよい。
【０１０５】
また、運転モード「冷房」の場合は、加湿アシスト動作を「なし」としたが、空気調和装置２００の空調対象領域が「快適」の場合は、温調が「オフ」となるため、加湿装置１００が冷やされた空気を吸込むことはなくなる。よって、天井付近にたまった暖かい空気を利用し、加湿アシスト動作を行えるようにしてもよい。この場合、送風ファン出力は「弱」、吸込口１０４側の風向板ユニット出力は「水平」、吸込口１０４側以外の風向板ユニット出力は「操作値」、温調は「オフ」とすることで、加湿アシスト動作「あり」とする。
【０１０６】
さらに、運転モードを「冷房」から「暖房」に自動的に切り換えた上で、温調制御することにより、「暖房」による温調でさらに暖められた空気を加湿装置１００に吸込ませることが可能となる。この場合、送風ファン出力は「弱」、吸込口１０４側の風向板ユニット出力は「水平」、吸込口１０４側以外の風向板ユニット出力は「閉」、温調は「オン」とすることにより、加湿アシスト動作「あり」とする。なお、この場合の加湿アシスト動作は、温調により加湿能力を強化した加湿アシスト動作となる。運転モードを「冷房」から「暖房」に自動的に切り換える場合には、ユーザ操作は元々「冷房」モードであったため、ユーザが求めていた「冷風」ではない「温風」がユーザに当たらないよう、吸込口１０４側以外の風向板ユニット出力は「閉」としておく。
【０１０７】
オフィスオートメーション機器の発熱により室内温度が上昇したために冷房運転を実行している冬季のオフィスのようなケースでは、加湿対象空間５０の湿度が著しく低下している場合、又は設定湿度を満足しない状況が長期間続いている場合には、空調対象領域の温度の快適性よりも、加湿対象空間５０の湿度の快適性の向上を優先する。ただし、空調対象領域の温度の快適性が不快なレベルまで落ちている場合、及び「設定温度未達の継続時間」が一定時間を越えた場合には、空調対象領域の温度の快適性の向上を、加湿対象空間５０の湿度の快適性よりも優先するように戻せばよい。言い換えると、空調対象領域の温度の快適性と、加湿対象空間５０の湿度の快適性とのバランスを考慮した上で、加湿アシスト動作を実行させる。
【０１０８】
この際、風向板ユニット２３０は全ての方向で「水平」又は「閉」としたため、空調対象領域に居るユーザに、吹き出し空気が当たることによる違和感を与えずに、天井付近にある暖かい空気を暖房で温調することでさらに温度を高めてから、加湿装置１００に吸込ませることが可能となる。したがって、温調せずに加湿アシスト動作を行う時と比べ、加湿装置１００による加湿量が大幅に向上し、加湿対象空間５０の湿度を迅速に設定湿度へ到達させることができる。言い換えると、空気調和装置２００が加湿装置１００の加湿能力を大幅に向上させることができる。さらに、ユーザに直接吹き出し空気が当たらないため、空調対象領域に吹き出した場合にはユーザが暑すぎると感じる温度まで加温した空気を加湿装置１００に吸い込ませることも可能となる。
【０１０９】
以上のように、実施の形態１に係る加湿空調システム１０００では、加湿装置１００は、加湿装置１００の発停状態、加湿対象空間５０の検知湿度と加湿装置１００の設定湿度との差、加湿対象空間５０の検知湿度が加湿装置１００の設定湿度に到達していない時間、及び加湿装置１００への強制加湿入力に基づいて、加湿アシスト要求レベルを決定する。また、空気調和装置２００は、空気調和装置２００の運転モード、加湿アシスト要求レベル、空調対象領域の検知温度と空気調和装置２００の設定温度との差、及び空調対象領域の検知温度が空気調和装置２００の設定温度に到達していない時間に基づいて、加湿アシスト動作を適宜実行する。このため、空調対象領域の温度の快適性と、加湿対象空間５０の湿度の快適性とのバランスを考慮した上で、加湿対象空間５０の湿度を迅速に設定湿度へ到達させることが可能となる。
【０１１０】
また、空気調和装置２００の風向板ユニット２３０を、加湿装置１００の吸込口１０４側と吸込口１０４側以外とで独立に制御することにより、加湿装置１００側の吸込口１０４以外の空調対象領域に関しては、加湿アシスト動作に関わらず、常に温度の快適性を優先した動作が可能である。
【０１１１】
また、実施の形態１に係る加湿空調システム１０００において、加湿装置１００は、加湿装置１００の発停状態、加湿対象空間５０の検知湿度と加湿装置１００の設定湿度との差、加湿対象空間５０の検知湿度が加湿装置１００の設定湿度に到達していない時間、及び加湿装置１００への強制加湿入力に基づいて、加湿アシスト要求レベルを決定していたが、少なくとも加湿装置１００の発停状態、加湿対象空間５０の検知湿度と加湿装置１００の設定湿度との差、の二つの情報があれば、加湿アシスト要求レベル「なし」を判定することは可能である。これにより、不要な加湿アシスト動作を回避可能である。
【０１１２】
実施の形態１に係る加湿空調システム１０００において、加湿装置１００は、加湿対象空間５０の外に設置された第３の吸込口である外部吸込口及び第３の吹出口である外部吹出口を備え、吸込口１０４から吸い込んで外部吹出口から吹き出す排気流と、外部吸込口から吸い込んで吹出口１０５から吹き出す給気流との間で熱交換を行い、熱交換後の空気を加湿する熱交換換気装置であってもよい。空気調和装置２００によって加熱された空気を吸込口１０４から吸い込んで排気流を形成することにより、排気流との間で熱交換が行われる給気流の温度が上昇する。したがって、加湿装置１００が熱交換換気装置である場合も、加湿量を増大させることができる。
【０１１３】
また、実施の形態１に係る加湿空調システム１０００において、空気調和装置２００は、空気調和装置２００の運転モード、加湿アシスト要求レベル、空調対象領域の検知温度と空気調和装置２００の設定温度との差、及び、空調対象領域の検知温度が空気調和装置２００の設定温度に到達していない時間に基づいて、加湿アシスト動作を適宜実行するようにしていたが、少なくとも空気調和装置２００の運転モード、及び加湿アシスト要求レベル、の二つの情報があれば、不要な加湿アシスト動作を回避可能である。
【０１１４】
また、実施の形態１に係る加湿空調システム１０００においては、加湿装置１００が加湿アシスト要求レベルを判定していたが、空気調和装置２００又はシステムコントローラ３００が加湿アシスト要求レベルを判定してもよい。具体的には、空気調和装置２００が判定する場合、空気調和装置２００は、加湿装置１００の発停状態、加湿対象空間５０の検知湿度、加湿対象空間５０の設定湿度、及び強制加湿入力の情報を、システム通信部２１２を介して取得し、加湿アシスト要求レベルを判定すればよい。また、システムコントローラ３００が判定する場合、システムコントローラ３００は、加湿装置１００の発停状態、加湿対象空間５０の検知湿度、加湿対象空間５０の設定湿度、及び強制加湿入力の情報を取得し、加湿アシスト要求レベル判定の上、空気調和装置２００へ判定結果を送信すればよい。
【０１１５】
また、実施の形態１に係る加湿空調システム１０００において、空気調和装置２００が加湿アシスト動作を実行するか否かを判定していたが、加湿アシスト動作を実行するか否かを加湿装置１００又はシステムコントローラ３００が判定してもよい。具体的には、加湿装置１００が判定する場合、加湿装置１００は、空気調和装置２００の運転モード、空調対象領域の検知温度、及び空調対象領域の設定温度を、システム通信部１１２を介して取得し、加湿アシスト動作内容を判定し、判定結果を空気調和装置２００へ送信すればよい。また、システムコントローラ３００が判定する場合、システムコントローラ３００は、加湿装置１００から加湿アシスト要求レベルを取得し、空気調和装置２００から、空気調和装置２００の運転モード、空調対象領域の検知温度、及び空調対象領域の設定温度を取得し、加湿アシスト動作内容を判定し、判定結果を空気調和装置２００へ送信すればよい。
【０１１６】
なお、実施の形態１に係る加湿空調システム１０００において、加湿装置１００が加湿アシスト動作を実行するか否かを判定する際、検知湿度と設定湿度とを相対湿度にて判定していたが、加湿アシスト動作時は空気調和装置２００から暖められた空気を吸込むことになり、相対湿度は下がってしまうため、適宜絶対湿度による判定を行ってもよい。
【０１１７】
実施の形態２．
図９は、本発明の実施の形態２に係る加湿空調システムの空気調和装置の統括部による送風ファン出力、風向板ユニット出力及び温調能力の判定例を示す図である。なお、特に記述しない項目については実施の形態１と同様とし、同一の機能及び構成については同一の符号を用いて述べる。また、実施の形態１と同一の機能及び構成についての説明は省略する。実施の形態１に係る加湿空調システム１０００との相違点は、空気調和装置２００の統括部２１５が、加湿アシスト動作における温調能力の判定を空気調和装置２００の検知温度と加湿装置１００の検知温度との差分情報を加えて行う点にある。
【０１１８】
実施の形態１に係る加湿空調システム１０００では、空気調和装置２００の運転モードが「停止」時、又は空気調和装置２００の空調対象領域の検知温度が設定温度に到達している場合に、加湿アシスト要求レベルが「あり」となったら、温調を「オン」に切り換えて加湿アシスト動作を行っていた。しかし、空気調和装置２００の検知温度と加湿装置１００の検知温度との差分が規定値以上の場合は、天井付近に溜まった暖かい空気を利用しても加湿量アップが見込める。このため、実施の形態２に係る加湿空調システム１０００は、温調が「オフ」のまま加湿アシスト動作を実行する。一方、空気調和装置２００の検知温度と加湿装置１００の検知温度との差分が規定値未満の場合は、天井付近に溜まった空気を温調することで、加湿装置１００が吸込む空気の温度を積極的に上げ、加湿アシスト効果を高める。これにより、温調が「オン」となるケースを抑制しながら、加湿アシスト動作を実行可能となるため、より省エネルギーで加湿対象空間５０の湿度を迅速に設定湿度へ到達させることを可能とした。
【０１１９】
また、加湿アシスト要求レベルが高くなる場合は、加湿対象空間５０の湿度をより迅速に設定湿度へ上げる必要があるため、温調のオンオフを判断する閾値を変更し、より温調がオンになりやすいようにした。
【０１２０】
以上のように、実施の形態２に係る加湿空調システム１０００では、空気調和装置２００が、空気調和装置２００の検知温度と加湿装置１００の検知温度との差分にも基づいて加湿アシスト動作時に温調をオンするか否かを判断するようにしたため、加湿アシスト動作のために、温調が「オフ」から「オン」に切り換えることを低減できる。つまり、より省エネルギーで加湿対象空間５０の湿度を迅速に設定湿度へ到達させることを可能とした。
【０１２１】
なお、実施の形態２に係る加湿空調システム１０００においては、加湿アシスト要求レベルが高い場合、加湿対象空間５０の湿度をより迅速に設定湿度へ上げる必要があるため、温調をオンするか否かを判断する閾値を変更し、より温調がオンになりやすいようにしていたが、温調をオンするか否かを判断する閾値は、加湿アシスト要求レベルによらず固定であってもよい。例えば、温調をオンするか否かを判断する閾値を１℃に固定にすると、空気調和装置２００の検知温度と加湿装置１００の検知温度との差が１℃未満になるまで、温調が「オフ」での加湿アシスト動作を続けることが可能となるため、消費電力を抑制できる。また、温調をオンするか否かを判断する閾値を３℃に固定にすると、空気調和装置２００の検知温度と加湿装置１００の検知温度の差が３℃未満になると、温調がオンでの加湿アシスト動作となるため、天井付近に溜まった空気を暖めることで、加湿装置１００が吸込む空気の温度を積極的に上げ、加湿量を増大させる効果をより高めることが可能となる。
【０１２２】
実施の形態３．
図１０は、本発明の実施の形態３に係る加湿空調システムの空気調和装置の統括部による送風ファン出力、風向板ユニット出力及び温調能力の判定例を示す図である。なお、特に記述しない項目については実施の形態２と同様とし、同一の機能及び構成については同一の符号を用いて述べる。また、実施の形態２と同一の機能及び構成についての説明は省略する。
【０１２３】
実施の形態２に係る加湿空調システム１０００との相違点は、空気調和装置２００の統括部２１５が、加湿アシスト動作における温調能力の判定を空気調和装置２００に接続されている室外機２０３の稼動状態にも基づいて行う点にある。
【０１２４】
実施の形態２に係る加湿空調システム１０００は、加湿アシスト要求レベルが「あり」となった場合、空気調和装置２００の検知温度と加湿装置１００の検知温度との差分が規定値以上であれば、天井付近に溜まった暖かい空気を利用して加湿量アップが見込めるため、温調が「オフ」のまま加湿アシスト動作を実行する。また、空気調和装置２００の検知温度と加湿装置１００の検知温度との差分が規定値未満であれば、天井付近に溜まった空気を温調することで、加湿装置１００が吸込む空気の温度を積極的に上げ、加湿量を増大させる効果を高める。
【０１２５】
しかし、１台の室外機２０３に複数の空気調和装置２００が接続されたシステム構成を想定すると、一つの空気調和装置２００が温調が「オフ」であった場合でも、他の空気調和装置２００の温調状態によっては、接続される室外機２０３が「圧縮機オン」の状態もありえる。
【０１２６】
よって、実施の形態３に係る加湿空調システム１０００においては、空気調和装置２００の検知温度と加湿装置１００の検知温度との差分が規定値以上の場合であっても、接続されている室外機２０３の稼動状態が「圧縮機オン」であった場合は、天井付近に溜まった空気をさらに温調することで、加湿装置１００が吸込む空気の温度を積極的に上げ、加湿量を増大させる効果を高める。一方、「圧縮機オフ」の場合は、無理に室外機２０３を再稼動せずに、元々暖かい天井付近に溜まった空気を利用して、加湿アシスト動作を行う。
【０１２７】
これにより、空気調和装置２００の検知温度と加湿装置１００の検知温度との差分が規定値以上の場合であっても、室外機２０３の再稼動に伴う多大な消費電力アップを起こすことなく、積極的に天井付近の空気をさらに暖めることで、加湿対象空間５０の湿度をより迅速に設定湿度へ到達させることができる。
【０１２８】
また、空気調和装置２００の検知温度と加湿装置１００の検知温度との差分が規定値以上の場合は、そもそも天井付近に溜まった空気の温度は高い状態にあるため、加湿アシスト動作時に温調をオンする場合でも、温調能力を「５０％でオン」とすることで、システム全体での消費電力アップを必要最小限に抑制する。
【０１２９】
以上のように、実施の形態３に係る加湿空調システム１０００では、空気調和装置２００が、空気調和装置２００に接続される室外機２０３の稼動状態にも基づいて加湿アシスト動作時に温調をオンするか否かを判断するため、室外機２０３の再稼動に伴う多大な消費電力アップを起こすことなく、積極的に天井付近の空気をさらに暖めることで、加湿対象空間５０の湿度をより迅速に設定湿度へ到達させることができる。
【０１３０】
なお、実施の形態３に係る加湿空調システム１０００において、空気調和装置２００は、室外機２０３の稼動状態、すなわち圧縮機のオンオフに応じて、温調のオンオフを判断していたが、室外機２０３における圧縮機の運転周波数とエネルギー効率との関係から、より細かく温調能力を決定するようにしてもよい。
【０１３１】
具体的には、空気調和装置２００が室外機２０３から現在の運転周波数とエネルギー効率が最大となる運転周波数との情報を取得し、エネルギー効率が上がる方向になる場合は、温調をオンし、エネルギー効率が下がる方向になる場合は、エネルギー効率が規定値以上になるのであれば温調をオンし、エネルギー効率が規定値未満になるのであれば温調をオフするように制御する。さらに実施の形態３においては、温調オンの能力を５０％と１００％との２値としたが、より細かく温調能力を設定できる場合には、温調能力を調整して、エネルギー効率が規定範囲になるよう調整してもよい。これにより、室外機２０３のエネルギー効率に応じて、加湿アシスト動作を行うことが可能となり、システム全体での消費電力アップを必要最小限に抑制可能となる。
【０１３２】
また、実施の形態３に係る加湿空調システム１０００において、空気調和装置２００は、空気調和装置２００の検知温度と加湿装置１００の検知温度との差分に基づいて温調をオンするか否かを判断していたが、空気調和装置２００の検知温度と加湿装置１００の検知温度との差分は使わずに温調能力を決定するようにしても同様の効果が得られる。
【０１３３】
実施の形態４．
図１１は、本発明の実施の形態４に係る加湿空調システムの空気調和装置の統括部による送風ファン出力、風向板ユニット出力、及び温調能力の判定例を示す図である。なお、特に記述しない項目については実施の形態３と同様とし、同一の機能及び構成については同一の符号を用いて述べる。また、実施の形態３と同一の機能及び構成についての説明は省略する。図１１中の人感センサが「在」の欄は、空気調和装置２００の空調対象領域に人が存在することを人感センサが検知したことを表す。図１１中の人感センサが「不在」の欄は、空気調和装置２００の空調対象領域に人が存在することを人感センサが検知しなかったことを表す。
【０１３４】
実施の形態３に係る加湿空調システム１０００との相違点は、空気調和装置２００の統括部２１５が、加湿アシスト動作における温調能力の判定を空気調和装置２００に別途接続される人感センサの検知状態にも基づいて行う点にある。なお、人感センサは、接続される空気調和装置２００の空調対象領域に存在する人を検知可能である。実施の形態４に係る加湿空調システム１０００においては、４箇所の吹出口２０５Ａ，２０５Ｂ，２０５Ｃ，２０５Ｄのそれぞれにおける空調対象領域で人が存在するかを検知できるものとする。
【０１３５】
実施の形態３では、空調対象領域の検知温度と空気調和装置２００の設定温度との差と、空調対象領域の検知温度が空気調和装置２００の設定温度に到達していない時間とから、空調対象領域の温度の快適性の向上を、加湿対象空間５０の湿度の快適性よりも優先するようにしていた条件においても、実施の形態４では、空気調和装置２００の空調対象領域に人が存在することを人感センサが検知しなかった場合には、加湿アシスト動作「あり」とする。言い換えれば、空調対象領域の温度の快適性よりも、加湿対象空間５０の湿度の快適性の向上を優先する。なお、空調対象領域の温度の快適性の向上を、加湿対象空間５０の湿度の快適性よりも優先するようにしていた条件とは、例えば、加湿アシスト要求レベルが「低」、かつ空調対象領域での「検知温度−設定温度」が「−３℃から０℃」の場合である。
【０１３６】
これにより、空調対象領域に人が不在である場合に、積極的に加湿アシスト動作を行うことが可能となり、加湿対象空間５０の湿度をより迅速に設定湿度へ到達させることができる。
【０１３７】
以上のように、実施の形態４に係る加湿空調システム１０００では、空気調和装置２００が、空気調和装置２００に接続される人感センサの検知状態を加えて加湿アシスト動作を判定するようにしたため、空調対象領域に人が不在である場合に、積極的に加湿アシスト動作を行うことが可能となり、加湿対象空間５０の湿度をより迅速に設定湿度へ到達させることができる。
【０１３８】
また、実施の形態４に係る加湿空調システム１０００において、空気調和装置２００は、空気調和装置２００の運転モードが「暖房」時に、加湿アシスト要求レベルが「あり」となった場合、空調対象領域の検知温度が空気調和装置２００の設定温度に到達していない時間、空気調和装置２００の検知温度と加湿装置１００の検知温度の差分情報、及び空気調和装置２００に接続される室外機２０３の稼動状態に基づいて、加湿アシスト動作を判定していたが、上記の情報を使わずに、空調対象領域の検知温度と空気調和装置２００の設定温度との差、及び人感センサの検知結果のみで加湿アシスト動作を決定するようにしても同様の効果は得られる。
【０１３９】
上記の実施の形態１から実施の形態４に係る制御部１１０，２１０の機能は、処理回路により実現される。処理回路は、専用のハードウェアであっても、記憶装置に格納されるプログラムを実行する処理装置であってもよい。制御部１１０，２１０には、マイクロコントローラを適用可能であるが、これに限定されない。
【０１４０】
処理回路が専用のハードウェアである場合、処理回路は、単一回路、複合回路、プログラム化したプロセッサ、並列プログラム化したプロセッサ、特定用途向け集積回路、フィールドプログラマブルゲートアレイ、又はこれらを組み合わせたものが該当する。図１２は、実施の形態１から実施の形態４に係る加湿装置又は空気調和装置の制御部の機能をハードウェアで実現した構成を示す図である。処理回路２９には、制御部１１０，２１０の機能を実現する論理回路２９ａが組み込まれている。
【０１４１】
処理回路２９が処理装置の場合、制御部１１０，２１０の機能は、ソフトウェア、ファームウェア、又はソフトウェアとファームウェアとの組み合わせにより実現される。
【０１４２】
図１３は、実施の形態１から実施の形態４に係る加湿装置又は空気調和装置の制御部の機能をソフトウェアで実現した構成を示す図である。処理回路２９は、プログラム２９ｂを実行するプロセッサ２９１と、プロセッサ２９１がワークエリアに用いるランダムアクセスメモリ２９２と、プログラム２９ｂを記憶する記憶装置２９３を有する。記憶装置２９３に記憶されているプログラム２９ｂをプロセッサ２９１がランダムアクセスメモリ２９２上に展開し、実行することにより、制御部１１０，２１０の機能が実現される。ソフトウェア又はファームウェアはプログラム言語で記述され、記憶装置２９３に格納される。プロセッサ２９１は、中央処理装置を例示できるがこれに限定はされない。記憶装置２９３は、ＲＡＭ（Random  Access  Memory）、ＲＯＭ（Read  Only  Memory）、フラッシュメモリ、ＥＰＲＯＭ（Erasable  Programmable  Read  Only  Memory）、又はＥＥＰＲＯＭ（登録商標）（Electrically  Erasable  Programmable  Read  Only  Memory）といった半導体メモリを適用できる。半導体メモリは、不揮発性メモリでもよいし揮発性メモリでもよい。また記憶装置２９３は、半導体メモリ以外にも、磁気ディスク、フレキシブルディスク、光ディスク、コンパクトディスク、ミニディスク又はＤＶＤ（Digital  Versatile  Disc）を適用できる。なお、プロセッサ２９１は、演算結果といったデータを記憶装置２９３に出力して記憶させてもよいし、ランダムアクセスメモリ２９２を介して不図示の補助記憶装置に当該データを記憶させてもよい。
【０１４３】
処理回路２９は、記憶装置２９３に記憶されたプログラム２９ｂを読み出して実行することにより、制御部１１０，２１０の機能を実現する。プログラム２９ｂは、制御部１１０，２１０の機能を実現する手順及び方法をコンピュータに実行させるものであるとも言える。
【０１４４】
なお、処理回路２９は、制御部１１０，２１０の機能の一部を専用のハードウェアで実現し、制御部１１０，２１０の機能の一部をソフトウェア又はファームウェアで実現するようにしてもよい。
【０１４５】
このように、処理回路２９は、ハードウェア、ソフトウェア、ファームウェア、又はこれらの組み合わせによって、上述の各機能を実現することができる。
【０１４６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１４７】
２９  処理回路、２９ａ  論理回路、２９ｂ  プログラム、５０  加湿対象空間、１００，１００１，１００２  加湿装置、１０１  加湿コントローラ、１０２  加湿ユニット、１０４，１０４１，１０４２，２０４，２０４１，２０４２，２０４３，２０４４，２０４５，２０４６，２０４７  吸込口、１０５，１０５１，１０５２，２０５Ａ，２０５Ａ１，２０５Ａ２，２０５Ａ３，２０５Ａ４，２０５Ａ５，２０５Ａ６，２０５Ａ７，２０５Ｂ，２０５Ｂ１，２０５Ｂ２，２０５Ｂ３，２０５Ｂ４，２０５Ｂ５，２０５Ｂ６，２０５Ｂ７，２０５Ｃ，２０５Ｃ１，２０５Ｃ２，２０５Ｃ３，２０５Ｃ４，２０５Ｃ５，２０５Ｃ６，２０５Ｃ７，２０５Ｄ，２０５Ｄ１，２０５Ｄ２，２０５Ｄ３，２０５Ｄ４，２０５Ｄ５，２０５Ｄ６，２０５Ｄ７  吹出口、１０６，１０６１，１０６２  本体、１１０，２１０  制御部、１１１  加湿コントローラ通信部、１１２，２１２  システム通信部、１１４，２１４  記憶部、１１５，２１５  統括部、１１６，２１６  出力部、１１７，２１７  入力部、１２０，２２０  送風ファン、１３０  給水電磁弁、１６０，２６０  温度検知部、１７０  湿度検知部、２００，２００１，２００２，２００３，２００４，２００５，２００６，２００７  空気調和装置、２０１  空調コントローラ、２０２，２０２１，２０２２，２０２３，２０２４，２０２５，２０２６，２０２７  室内機、２０３  室外機、２１１  空調コントローラ通信部、２１３  室外機通信部、２３０  風向板ユニット、２９１  プロセッサ、２９２  ランダムアクセスメモリ、２９３  記憶装置、３００  システムコントローラ、１０００  加湿空調システム。
【図１】
2020133931.tif 000003
【図２】
2020133931.tif 000004
【図３】
2020133931.tif 000005
【図４】
2020133931.tif 000006
【図５】
2020133931.tif 000007
【図６】
2020133931.tif 000008
【図７】
2020133931.tif 000009
【図８】
2020133931.tif 000010
【図９】
2020133931.tif 000011
【図１０】
2020133931.tif 000012
【図１１】
2020133931.tif 000013
【図１２】
2020133931.tif 000014
【図１３】
2020133931.tif 000015